(57)【要約】【課題】各表示機器の配置作業に要する時間や労力を軽減することができる情報処理装置、情報処理システム、配置補助方法及びプログラムを提供する。【解決手段】複数台の表示機器２０を用いて表示面にコンテンツを表示する場合における複数台の表示機器２０の配置を補助するための配置補助情報の登録制御を行う登録制御部１０７と、配置補助情報を表示させる表示制御部１０１と、を備える。【選択図】図４
2018004711.tif 000002
【特許請求の範囲】
【請求項１】
複数台の表示機器を用いて表示面にコンテンツを表示する場合における前記複数台の表示機器の配置を補助するための配置補助情報の登録制御を行う登録制御部と、
前記配置補助情報を表示させる表示制御部と、
を備える情報処理装置。
【請求項２】
前記配置補助情報は、前記複数台の表示機器それぞれの機器識別情報、前記複数台の表示機器それぞれの配置位置を示す配置位置情報、前記複数台の表示機器それぞれの前記表示面との距離を示す表示面距離情報、及び前記複数台の表示機器間の距離を示す表示機器間距離情報を含む請求項１に記載の情報処理装置。
【請求項３】
前記配置補助情報は、前記複数台の表示機器それぞれの機器識別情報、前記複数台の表示機器それぞれの配置位置を示す配置位置情報、前記複数台の表示機器それぞれの配置形態を示す配置形態情報を含む請求項１に記載の情報処理装置。
【請求項４】
前記配置形態情報は、前記表示機器の配置が固定配置であるか否かを少なくとも示し、
前記複数台の表示機器に、配置が固定配置ではない１以上の表示機器が含まれる場合、当該１以上の表示機器それぞれについては、前記表示面との距離を示す表示面距離情報、及び当該１以上の表示機器間の距離を示す表示機器間距離情報を更に含む請求項３に記載の情報処理装置。
【請求項５】
前記配置補助情報は、前記複数台の表示機器それぞれの前記コンテンツを調整するための調整値情報を更に含む請求項２〜４のいずれか１つに記載の情報処理装置。
【請求項６】
前記登録制御部は、前記配置補助情報を登録する際に、前記配置補助情報に予め定められた情報が設定されているか否かを確認し、
前記表示制御部は、前記予め定められた情報が設定されていない場合、前記予め定められた情報の設定を促す画面を表示させる請求項１〜５のいずれか１つに記載の情報処理装置。
【請求項７】
前記表示制御部は、前記複数台の表示機器の配置を確定するためのユーザ操作が行われると、次回の配置用に前記配置補助情報の登録を行うか否かを確認する配置補助情報登録確認画面を表示させる請求項１〜６のいずれか１つに記載の情報処理装置。
【請求項８】
複数台の表示機器を用いて表示面にコンテンツを表示する場合における前記複数台の表示機器の配置を補助するための配置補助情報の登録制御を行う登録制御部と、
前記配置補助情報を表示させる表示制御部と、
を備える情報処理システム。
【請求項９】
情報処理装置と、複数台の表示機器と、を備える情報処理システムであって、
前記情報処理装置は、
前記複数台の表示機器を用いて表示面にコンテンツを表示する場合における前記複数台の表示機器の配置を補助するための配置補助情報の登録制御を行う登録制御部と、
前記配置補助情報を表示させる表示制御部と、
を備える情報処理システム。
【請求項１０】
複数台の表示機器を用いて表示面にコンテンツを表示する場合における前記複数台の表示機器の配置を補助するための配置補助情報の登録制御を行う登録制御ステップと、
前記配置補助情報を表示させる表示制御ステップと、
を含む配置補助方法。
【請求項１１】
複数台の表示機器を用いて表示面にコンテンツを表示する場合における前記複数台の表示機器の配置を補助するための配置補助情報の登録制御を行う登録制御ステップと、
前記配置補助情報を表示させる表示制御ステップと、
をコンピュータに実行させるためのプログラム。
【発明の詳細な説明】
【技術分野】
【０００１】
本発明は、情報処理装置、情報処理システム、配置補助方法及びプログラムに関する。
【背景技術】
【０００２】
従来から、複数台のプロジェクタなどの表示機器を用いて、スクリーンなどの表示面に単一のコンテンツを投影（表示）するマルチプロジェクションと呼ばれる技術が知られている。
【０００３】
マルチプロジェクションでは、各表示機器が、単一のコンテンツを分割した分割コンテンツを投影することで、表示面上に単一のコンテンツが形成される。このようにマルチプロジェクションでは、複数の分割コンテンツを繋げて単一のコンテンツを形成するため、各表示機器は、分割コンテンツ間のつなぎ目が目立たないように分割コンテンツを投影する必要がある。
【０００４】
このためマルチプロジェクションでは、各表示機器の配置が重要となり、各表示機器の配置作業に時間と労力を要している。特に、様々な場所でマルチプロジェクションを行う場合、その都度、各表示機器の配置作業が必要となるため、多大な時間と労力を要してしまう。
【０００５】
ここで、例えば特許文献１には、マルチプロジェクションにおいて、位置ズレが生じた場合に、キャリブレーションを行って位置ズレを補正する技術が開示されている。
【発明の概要】
【発明が解決しようとする課題】
【０００６】
特許文献１に開示された技術によれば、表示機器の配置後に位置ズレが生じた場合であっても、キャリブレーションにより当該表示機器の配置をやり直さずに位置ズレを補正することができるが、各表示機器の配置作業に要する時間や労力を軽減することはできない。
【０００７】
本発明は、上記事情に鑑みてなされたものであり、各表示機器の配置作業に要する時間や労力を軽減することができる情報処理装置、情報処理システム、配置補助方法及びプログラムを提供することを目的とする。
【課題を解決するための手段】
【０００８】
上述した課題を解決し、目的を達成するために、本発明の一態様にかかる情報処理装置は、複数台の表示機器を用いて表示面にコンテンツを表示する場合における前記複数台の表示機器の配置を補助するための配置補助情報の登録制御を行う登録制御部と、前記配置補助情報を表示させる表示制御部と、を備える。
【発明の効果】
【０００９】
本発明によれば、各表示機器の配置作業に要する時間や労力を軽減することができるという効果を奏する。
【図面の簡単な説明】
【００１０】
【図１】図１は、本実施形態の表示システムの構成の一例を示すブロック図である。
【図２】図２は、本実施形態の情報処理装置のハードウェア構成の一例を示すブロック図である。
【図３】図３は、本実施形態の表示機器のハードウェア構成の一例を示すブロック図である。
【図４】図４は、本実施形態の情報処理装置及び表示機器の機能構成の一例を示すブロック図である。
【図５】図５は、本実施形態の表示システムで行われる全体処理の一例を示すフローチャートである。
【図６】図６は、本実施形態の配置補助情報利用確認画面の一例を示す図である。
【図７】図７は、図５のフローチャートのステップＳ１０７の処理の詳細例を示すシーケンス図である。
【図８】図８は、表示機器の投影の一例を示す図である。
【図９】図９は、表示機器の投影の一例を示す図である。
【図１０】図１０は、本実施形態のレイアウト設定画面の一例を示す図である。
【図１１】図１１は、本実施形態の表示機器設定画面の一例を示す図である。
【図１２】図１２は、本実施形態の表示機器設定操作入力内容の一例を示す図である。
【図１３−１】図１３−１は、図５のフローチャートのステップＳ１１７の処理の詳細例を示すシーケンス図である。
【図１３−２】図１３−２は、図５のフローチャートのステップＳ１１７の処理の詳細例を示すシーケンス図である。
【図１４】図１４は、本実施形態の配置補助情報に設定される情報の一例を示す図である。
【図１５】図１５は、本実施形態の配置補助情報生成開始画面の一例を示す図である。
【図１６】図１６は、本実施形態の表示面距離設定画面の一例を示す図である。
【図１７】図１７は、本実施形態の表示面距離及び表示機器間距離の一例を示す図である。
【図１８】図１８は、本実施形態の配置補助情報に設定される情報の一例を示す図である。
【図１９】図１９は、本実施形態の表示機器間距離設定画面の一例を示す図である。
【図２０】図２０は、本実施形態の配置補助情報に設定される情報の一例を示す図である。
【図２１】図２１は、本実施形態の表示面距離及び表示機器間距離の他の例を示す図である。
【図２２】図２２は、本実施形態の配置補助情報に設定される情報の一例を示す図である。
【図２３】図２３は、本実施形態の配置形態設定画面の一例を示す図である。
【図２４】図２４は、本実施形態の配置補助情報に設定される情報の一例を示す図である。
【図２５】図２５は、本実施形態の配置補助情報に設定される情報の他の例を示す図である。
【図２６】図２６は、本実施形態の配置補助情報に設定される情報の一例を示す図である。
【図２７】図２７は、図５のフローチャートのステップＳ１１９の処理の詳細例を示すシーケンス図である。
【図２８】図２８は、本実施形態の配置案内画面の一例を示す図である。
【発明を実施するための形態】
【００１１】
以下、添付図面を参照しながら、本発明にかかる情報処理装置、情報処理システム、配置補助方法及びプログラムの実施形態を詳細に説明する。
【００１２】
図１は、本実施形態の表示システム１の構成の一例を示すブロック図である。図１に示すように、表示システム１は、情報処理装置１０と、表示機器２０−１〜２０−Ｎ（Ｎは２以上の自然数）と、を備える。
【００１３】
情報処理装置１０、及び表示機器２０−１〜２０−Ｎは、ネットワーク２を介して接続されている。ネットワーク２は、例えば、インターネットやＬＡＮ（Local  Area  Network）などにより実現できる。なお、以下の説明では、表示機器２０−１〜２０−Ｎを各々区別する必要がない場合は、単に表示機器２０と称する場合がある。
【００１４】
情報処理装置１０は、表示機器２０−１〜２０−Ｎによるマルチプロジェクションを制御するものであり、例えば、ＰＣ（Personal  Computer）やスマート端末など１台以上のコンピュータにより実現できる。本実施形態では、情報処理装置１０が１台のコンピュータにより実現されている場合を例に取り説明するが、これに限定されず、２台以上のコンピュータにより情報処理システムとして実現されていてもよい。
【００１５】
図２は、本実施形態の情報処理装置１０のハードウェア構成の一例を示すブロック図である。図２に示すように、情報処理装置１０は、ＣＰＵ（Central  Processing  Unit）やＧＰＵ（Graphics  Processing  Unit）などの制御装置１１と、ＲＯＭ（Read  Only  Memory）やＲＡＭ（Random  Access  Memory）などの主記憶装置１２と、ＨＤＤ（Hard  Disk  Drive）やＳＳＤ（Solid  State  Drive）などの補助記憶装置１３と、ディスプレイなどの表示装置１４と、キーボード、マウス、及びタッチパネルなどの入力装置１５と、通信インタフェースなどの通信装置１６と、デジタルカメラなどの撮影装置１７と、を備えており、通常のコンピュータを利用したハードウェア構成となっている。
【００１６】
表示機器２０は、マルチプロジェクションを行うために、コンテンツ（詳細には、分割されたコンテンツ）を表示（投影）するものであり、例えば、プロジェクタ（以下、「ＰＪ」と称する場合がある）などにより実現できる。本実施形態では、表示機器２０がプロジェクタである場合を例に取り説明するが、これに限定されるものではない。
【００１７】
図３は、本実施形態の表示機器２０のハードウェア構成の一例を示すブロック図である。図３に示すように、表示機器２０は、ＣＰＵや画像処理用のＩＣ（Integrated  Circuit）などの制御装置２１と、ＲＯＭやＲＡＭなどの主記憶装置２２と、ＨＤＤやＳＳＤなどの補助記憶装置２３と、ランプやレンズ等により構成される投影光学系などの投影装置２４と、キースイッチやタッチパネルなどの入力装置２５と、通信インタフェースなどの通信装置２６と、を備えている。
【００１８】
図４は、本実施形態の情報処理装置１０及び表示機器２０の機能構成の一例を示すブロック図である。図４に示すように、情報処理装置１０は、表示制御部１０１と、受付部１０３と、取得部１０５と、登録制御部１０７と、配置補助情報記憶部１０９と、設定要求部１１１と、撮影部１１３と、投影制御部１１５と、を含む。
【００１９】
表示制御部１０１、受付部１０３、及び登録制御部１０７は、例えば、制御装置１１及び主記憶装置１２などにより実現できる。取得部１０５、設定要求部１１１、及び投影制御部１１５は、例えば、制御装置１１、主記憶装置１２、及び通信装置１６などにより実現できる。配置補助情報記憶部１０９は、例えば、補助記憶装置１３などにより実現できる。撮影部１１３は、例えば、撮影装置１７などにより実現できる。
【００２０】
また図４に示すように、表示機器２０は、機器情報記憶部２０１と、機器情報制御部２０３と、投影部２０５と、を含む。機器情報記憶部２０１は、例えば、補助記憶装置２３などにより実現できる。機器情報制御部２０３は、例えば、制御装置２１、主記憶装置２２、及び通信装置２６などにより実現できる。投影部２０５は、例えば、制御装置２１、主記憶装置２２、投影装置２４及び通信装置２６などにより実現できる。
【００２１】
以下、本実施形態の表示システム１の動作について説明する。なお、以下では、主として、Ｎ＝２、即ち、２台の表示機器２０を用いてマルチプロジェクションを行う場合を例に取り説明するが、これに限定されるものではない。
【００２２】
図５は、本実施形態の表示システム１で行われる全体処理の一例を示すフローチャートである。なお、図５に示す処理は、情報処理装置１０及び各表示機器２０の電源が起動（オン）されている状態で開始されるものとする。
【００２３】
まず、受付部１０３は、ユーザ（表示システム１の配置作業者）による入力装置１５からの配置開始操作を受け付け、登録制御部１０７は、配置補助情報記憶部１０９に配置補助情報が登録（記憶）されているか否かを確認する（ステップＳ１０１）。なお、配置補助情報は、複数台の表示機器２０を用いてスクリーンなどの表示面にコンテンツを表示する場合における当該複数台の表示機器２０の配置を補助するための情報であり、詳細は後述する。本実施形態では、表示面としてスクリーンを例に取り説明するが、これに限定されず、例えば、ボードやガラスなど他の投影体であってもよく、また、投影できる場所であれば、壁（壁面）などであってもよい。配置補助情報が登録されていない場合（ステップＳ１０１でＮｏ）、ステップＳ１０７へ進む。
【００２４】
一方、配置補助情報が登録されている場合（ステップＳ１０１でＹｅｓ）、表示制御部１０１は、登録されている配置補助情報を利用して各表示機器２０の配置を行うか否かをユーザに確認するための画面である、図６に示すような配置補助情報利用確認画面を表示装置１４に表示させる（ステップＳ１０３）。
【００２５】
続いて、受付部１０３が、ユーザによる入力装置１５からの利用拒否操作（図６に示す配置補助情報利用確認画面上で利用しないボタン３０１を選択する操作）を受け付けた場合（ステップＳ１０５でＮｏ）、ステップＳ１０７へ進み、ユーザによる入力装置１５からの利用同意操作（図６に示す配置補助情報利用確認画面上で利用するボタン３０３を選択する操作）を受け付けた場合（ステップＳ１０５でＹｅｓ）、ステップＳ１１９へ進む。なお、ステップＳ１１９の処理の詳細については、後述する。
【００２６】
ステップＳ１０７へ進んだ場合、ユーザは、各表示機器２０を仮の位置に配置する仮配置を行う（ステップＳ１０７）。仮配置としているのは、ステップＳ１０７以降の作業結果によって、配置位置を再調整する必要があるためである。なお、ステップＳ１０７の処理の詳細については、後述する。
【００２７】
続いて、受付部１０３は、ユーザによる入力装置１５からの位置合わせ操作を受け付け、投影制御部１１５は、各表示機器２０に位置合わせ用の位置合わせ画像を出力し、各表示機器２０の投影部２０５は、位置合わせ画像をスクリーンなどの表示面に投影する。そしてユーザは、表示面に投影されている位置合わせ画像を参照して、各表示機器２０の配置を調整する（ステップＳ１０９）。
【００２８】
続いて、受付部１０３は、ユーザによる入力装置１５からのキャリブレーション操作を受け付け、投影制御部１１５は、各表示機器２０にキャリブレーション用の校正画像を出力し、各表示機器２０の投影部２０５は、校正画像を表示面に投影する。更に受付部１０３は、ユーザによる入力装置１５からの撮影操作を受け付け、撮影部１１３は、表示面に投影されている校正画像を撮影し、投影制御部１１５は、撮影前の校正画像と撮影後の校正画像とを用いてキャリブレーションを行ってコンテンツ分割用のパラメータを生成する。そして投影制御部１１５は、生成したコンテンツ分割用のパラメータに基づいて、単一のコンテンツを各表示機器２０用にＮ分割し、マルチプロジェクション用のＮ個の分割コンテンツを生成する（ステップＳ１１１）。
【００２９】
続いて、受付部１０３は、ユーザによる入力装置１５からの投影開始操作を受け付け、投影制御部１１５は、各表示機器２０に該当する分割コンテンツを出力し、各表示機器２０の投影部２０５は、分割コンテンツを表示面に投影する（ステップＳ１１３）。これにより、表示面に投影されたＮ個の分割コンテンツが単一のコンテンツを形成し、マルチプロジェクションが行われる。
【００３０】
続いて、ユーザは、マルチプロジェクションの出来を確認し、各表示機器２０の配置を確定せず、各表示機器２０の配置をやり直す場合（ステップＳ１１５でＮｏ）、ステップＳ１０７へ戻り、仮配置からやり直す。
【００３１】
一方、ユーザは、各表示機器２０の配置を確定する場合（ステップＳ１１５でＹｅｓ）、各表示機器２０の配置を確定する処理を行い、前述の配置補助情報の登録を行う（ステップＳ１１７）。なお、ステップＳ１１７の処理の詳細については、後述する。
【００３２】
続いて、情報処理装置１０及び各表示機器２０は、マルチプロジェクションを実行する（ステップＳ１２１）。なお、ステップＳ１２１の処理は、ステップＳ１１３の処理と同様である。
【００３３】
図７は、図５のフローチャートのステップＳ１０７の処理の詳細例を示すシーケンス図である。なお、図５のフローチャートのステップＳ１０７の処理の段階では、前述のように、各表示機器２０の電源は起動されており、１台目の表示機器２０である表示機器２０−１は、図８に示すように、表示機器２０−１のシリアルナンバー「ＰＪ１」及びＩＰアドレス「１０．６０．６３．１０１」を表示面に投影し、２台目の表示機器２０である表示機器２０−２は、図９に示すように、表示機器２０−２のシリアルナンバー「ＰＪ２」及びＩＰアドレス「１０．６０．６３．１０２」を表示面に投影しているものとするが、これに限定されるものではない。
【００３４】
まず、受付部１０３は、ユーザによる入力装置１５からの配置設定開始操作を受け付け、（ステップＳ２０１）、表示制御部１０１は、複数の表示機器２０の配置レイアウトをユーザに設定させる図１０に示すようなレイアウト設定画面を表示装置１４に表示させる（ステップＳ２０３）。
【００３５】
本実施形態では、表示機器２０の配置位置を行列（マトリクス構造）で表現するため、レイアウト設定画面として、図１０に示すような画面を用いているが、配置位置の表現形式やレイアウト設定画面は、これらに限定されるものではない。
【００３６】
続いて、受付部１０３は、ユーザによる入力装置１５からの図１０に示すレイアウト設定画面上で行番号及び列番号を指定するレイアウト設定操作を受け付け（ステップＳ２０５）、表示制御部１０１は、各表示機器２０をユーザに設定させる図１１に示すような表示機器設定画面を生成し、表示装置１４に表示させる（ステップＳ２０７）。
【００３７】
なお、図１１に示す表示機器設定画面では、複数の表示機器２０の配置レイアウトが１行２列（表示機器２０を横に並べて配置するレイアウト）であるため、１列目に配置される表示機器２０及び２列目に配置される表示機器２０を設定する画面となっているが、これに限定されるものではない。
【００３８】
続いて、受付部１０３は、図１２に示すように、ユーザによる入力装置１５からの表示機器設定画面上で１列目に配置される表示機器２０−１及び２列目に配置される表示機器２０−２のＩＰアドレスを設定する表示機器設定操作を受け付ける（ステップＳ２０９）。
【００３９】
なお、表示機器２０−１及び表示機器２０−２のＩＰアドレスについては、前述のように表示面に投影されているため、ユーザは、表示機器２０−１及び表示機器２０−２のＩＰアドレスを把握できる。
【００４０】
続いて、受付部１０３により表示機器設定操作が受け付けられると、取得部１０５は、設定されたＩＰアドレスに基づいて、表示機器２０−１及び表示機器２０−２に対し、機器識別情報の取得要求を行う。機器識別情報は、表示機器２０を識別する情報であればどのようなものでもよく、例えば、表示機器２０のシリアルナンバーや製造番号などが挙げられるが、これに限定されるものではない（ステップＳ２１１）。
【００４１】
続いて、各表示機器２０の機器情報制御部２０３は、情報処理装置１０から機器識別情報の取得要求が行われると、機器情報記憶部２０１に記憶されている機器識別情報を読み出し、情報処理装置１０に通知する（ステップＳ２１３）。
【００４２】
これにより、取得部１０５は、表示機器２０−１及び表示機器２０−２それぞれの機器識別情報を取得する。そして登録制御部１０７は、受付部１０３により受け付けられた表示機器設定操作で設定されたＩＰアドレスに、取得部１０５により取得された機器識別情報に対応付けることで、各表示機器２０のＩＰアドレスと、各表示機器２０の機器識別情報と、各表示機器２０の行列で表される配置位置を示す配置位置情報と、を対応付けた配置情報を生成し、主記憶装置２２上で一時記憶する（ステップＳ２１５）。
【００４３】
図１３−１及び図１３−２は、図５のフローチャートのステップＳ１１７の処理の詳細例を示すシーケンス図である。
【００４４】
まず、受付部１０３は、ユーザによる入力装置１５からの各表示機器２０の配置を確定するための配置確定操作を受け付け（ステップＳ３０１）、登録制御部１０７は、主記憶装置２２上で一時記憶している配置情報を読み出す（ステップＳ３０３）。
【００４５】
続いて、表示制御部１０１は、次回の配置用に配置補助情報の登録を行うか否かをユーザに確認する配置補助情報登録確認画面を表示装置１４に表示させる（ステップＳ３０５）。
【００４６】
続いて、受付部１０３が、ユーザによる入力装置１５からの配置補助情報登録確認画面に対する登録同意操作を受け付けた場合（ステップＳ３０７でＹｅｓ）、ステップＳ３０９へ進み、ユーザによる入力装置１５からの配置補助情報登録確認画面に対する登録拒否操作を受け付けた場合（ステップＳ３０７でＮｏ）、処理は終了となる。
【００４７】
続いて、受付部１０３により登録同意操作が受け付けられると、取得部１０５は、表示機器２０−１及び表示機器２０−２に対し、機器識別情報の取得要求を行う（ステップＳ３０９）。なお、ステップＳ３０９の処理は、図７に示すシーケンス図のステップＳ２１１の処理と同様である。ＩＰアドレスについては、読み出し済みの配置情報に含まれているものを用いればよい。
【００４８】
続いて、各表示機器２０の機器情報制御部２０３は、情報処理装置１０から機器識別情報の取得要求が行われると、機器情報記憶部２０１に記憶されている機器識別情報を読み出し、情報処理装置１０に通知する（ステップＳ３１１）。
【００４９】
これにより、取得部１０５は、表示機器２０−１及び表示機器２０−２それぞれの機器識別情報を取得する。そして登録制御部１０７は、取得部１０５により取得された機器識別情報に、読み出し済みの配置情報において当該機器識別情報に対応付けられている配置位置情報を対応付けることで、機器識別情報及び配置位置情報を配置補助情報に設定する（ステップＳ３１３）。これにより、配置補助情報には、図１４に示すように、各表示機器２０の機器識別情報と、各表示機器２０の配置位置情報と、が設定される。
【００５０】
続いて、表示制御部１０１は、図１５に示すような、配置補助情報の生成を開始したことを示す配置補助情報生成開始画面を表示装置１４に表示させ（ステップＳ３１５）、受付部１０３が、ユーザによる入力装置１５からの配置補助情報生成了承操作（図１５に示す配置補助情報生成開始画面上でＯＫボタン３１１を選択する操作）を受け付ける（ステップＳ３１７）。
【００５１】
続いて、表示制御部１０１は、受付部１０３により配置補助情報生成了承操作が受け付けられると、各表示機器２０について、図１６に示すような、表示面（スクリーン）との距離を設定させる表示面距離設定画面を表示装置１４に表示させる（ステップＳ３１９）。
【００５２】
なお、図１６に示す例では、表示機器２０−１についての表示面距離設定画面を示している。また、図１６に示す表示面距離設定画面で入力を促されている左上からの距離とは、表示機器２０−１の正面の左上から表示面（スクリーン）までの距離（図１７に示す（１）の距離）である。同様に、図１６に示す表示面距離設定画面で入力を促されている左下からの距離とは、表示機器２０−１の正面の左下から表示面（スクリーン）までの距離（図１７に示す（２）の距離）である。同様に、図１６に示す表示面距離設定画面で入力を促されている右上からの距離とは、表示機器２０−１の正面の右上から表示面（スクリーン）までの距離（図１７に示す（３）の距離）である。同様に、図１６に示す表示面距離設定画面で入力を促されている右下からの距離とは、表示機器２０−１の正面の右下から表示面（スクリーン）までの距離（図１７に示す（４）の距離）である。
【００５３】
なお、本実施形態では、表示機器２０から表示面（スクリーン）までの距離を、表示機器２０の左上、左下、右上、及び右下それぞれから表示面までの４か所の距離としているため、表示機器２０から表示面（スクリーン）までの距離だけでなく、表示面（スクリーン）に対する表示機器２０の傾きも表現できる。
【００５４】
続いて、ユーザは、各表示機器２０について、左上、左下、右上、及び右下から表示面（スクリーン）までの表示面距離を計測し、受付部１０３が、ユーザによる入力装置１５からの計測された表示面距離を設定する表示面距離設定操作を受け付ける（ステップＳ３２１）。
【００５５】
続いて、登録制御部１０７は、配置補助情報に設定されている機器識別情報に、受付部１０３により受け付けられた、当該機器識別情報が示す表示機器２０の表示面距離を示す表示面距離情報を対応付けることで、表示面距離情報を配置補助情報に設定する（ステップＳ３２３）。これにより、配置補助情報には、図１８に示すように、各表示機器２０の機器識別情報に対応付けられて、各表示機器２０の配置位置情報が更に設定される。
【００５６】
続いて、表示制御部１０１は、図１９に示すような、表示機器２０間の距離を設定させる表示機器間距離設定画面を表示装置１４に表示させる（ステップＳ３２５）。
【００５７】
なお、図１９に示す例では、表示機器２０−１及び表示機器２０−２間の表示面距離設定画面を示している。また、図１９に示す表示面距離設定画面で入力を促されている表示機器２０−１及び表示機器２０−２間の距離とは、図１７に示す（ａ）の距離である。
【００５８】
続いて、ユーザは、表示機器２０間の表示機器間距離を計測し、受付部１０３が、ユーザによる入力装置１５からの計測された表示機器間距離を設定する表示機器間距離設定操作を受け付ける（ステップＳ３２７）。
【００５９】
続いて、登録制御部１０７は、受付部１０３により受け付けられた表示機器間距離（計測対象の表示機器２０の機器識別情報を含む）を示す表示機器間距離情報を配置補助情報に設定する（ステップＳ３２９）。これにより、配置補助情報には、図２０に示すように、表示機器間距離情報が更に設定される。
【００６０】
なお本実施形態では、主として、マルチプロジェクションに使用される表示機器２０の台数が２台である場合を例に取り説明しているため、ここでは、表示機器２０間の距離が表示機器２０−１及び表示機器２０−２間の距離となっている。但し、例えば、図２１に示すように、マルチプロジェクションに使用される表示機器２０が２行２列で配置されている場合、表示機器２０間の距離は、表示機器２０−１及び表示機器２０−２間の距離（図２１に示す（ａ）の距離）、表示機器２０−１及び表示機器２０−４間の距離（図２１に示す（ｂ）の距離）、表示機器２０−２及び表示機器２０−３間の距離（図２１に示す（ｃ）の距離）、及び表示機器２０−３及び表示機器２０−４間の距離（図２１に示す（ｄ）の距離）となり、配置補助情報には、図２２に示すように、表示機器間距離情報が更に設定される。
【００６１】
続いて、表示制御部１０１は、図２３に示すような、各表示機器２０の配置形態を設定させる配置形態設定画面を表示装置１４に表示させる（ステップＳ３３１）。なお、図２３に示す配置形態設定画面では、各表示機器２０の配置形態として設置箇所（床／天井）及び固定配置であるか否かの入力を促されている。
【００６２】
続いて、受付部１０３が、ユーザによる入力装置１５からの配置形態設定操作を受け付ける（ステップＳ３３３）。
【００６３】
続いて、登録制御部１０７は、配置補助情報に設定されている機器識別情報及び配置位置情報に、受付部１０３により受け付けられた、当該機器識別情報が示す表示機器２０の配置形態を示す配置形態情報を対応付けることで、配置形態情報を配置補助情報に設定する（ステップＳ３３５）。
【００６４】
例えば、受付部１０３は、配置形態設定操作により、表示機器２０−１及び表示機器２０−２の双方を床置きで、固定配置でないという配置形態を示す配置形態情報を受け付けた場合、配置補助情報には、図２４に示すような、配置形態情報が更に設定される。
【００６５】
また例えば、図２１に示すように、マルチプロジェクションに使用される表示機器２０が２行２列で配置されている場合に、受付部１０３が、配置形態設定操作により、表示機器２０−１及び表示機器２０−２の双方を床置きで、固定配置でない、かつ、表示機器２０−３及び表示機器２０−４の双方を天井吊りで、固定配置という配置形態を示す配置形態情報を受け付けた場合、配置補助情報には、図２５に示すような、配置形態情報が更に設定される。
【００６６】
なお、ステップＳ３３１〜Ｓ３３５までの処理は、必須のものではなく省略するようにしてもよい。また、配置形態は、設置箇所（床／天井）及び固定配置であるか否かの双方を必須とするものではなく、いずれか一方としてもよい。また、配置形態が固定配置である場合、表示面距離や表示機器間距離は不要であるため、配置形態が固定配置である表示機器２０については、配置補助情報において、表示面距離情報や表示機器間距離情報を省略（削除）するようにしてもよい。
【００６７】
続いて、取得部１０５は、表示機器２０−１及び表示機器２０−２に対し、コンテンツを調整するための調整値の取得要求を行う（ステップＳ３３７）。なお、各表示機器２０のＩＰアドレスについては、読み出し済みの配置情報に含まれているものを用いればよい。
【００６８】
続いて、各表示機器２０の機器情報制御部２０３は、情報処理装置１０から調整値の取得要求が行われると、機器情報記憶部２０１に記憶されている調整値情報を読み出し、情報処理装置１０に通知する（ステップＳ３３９）。
【００６９】
これにより、取得部１０５は、表示機器２０−１及び表示機器２０−２それぞれの調整値情報を取得する。なお、調整値情報は、コンテンツを調整するための調整値を示し、例えば、映像調整を行うための映像モード、コントラスト、明るさ、シャープネス、赤レベル、緑レベル、及び青レベルなどの少なくともいずれかである映像調整値や表示調整を行うための台形補正及びズームなどの少なくともいずれかである表示調整値などが挙げられるが、これらに限定されるものではない。
【００７０】
そして登録制御部１０７は、配置補助情報に設定されている機器識別情報に、取得部１０５により取得された、当該機器識別情報が示す表示機器２０の調整値情報を対応付けることで、図２６に示すように、調整値情報を配置補助情報に設定する（ステップＳ３４１）。
【００７１】
なお、ステップＳ３３７〜Ｓ３４１までの処理は、必須のものではなく省略するようにしてもよい。
【００７２】
続いて、登録制御部１０７は、配置補助情報に設定されていない未入力項目があるか否かを（配置補助情報に予め定められた情報が設定されているか否かを）確認する（ステップＳ３４３）。
【００７３】
未入力項目がある場合（ステップＳ３４３でＹｅｓ）、表示制御部１０１は、当該未入力項目の設定画面（予め定められた情報の設定を促す画面）を表示し（ステップＳ３４５）、受付部１０３は、当該未入力項目の設定操作を受け付け（ステップＳ３４７）、登録制御部１０７は、設定操作で入力された未入力項目の内容を配置補助情報に設定し（ステップＳ３４９）、ステップＳ３４３へ戻る。
【００７４】
つまり、ステップＳ３４５〜Ｓ３４９では、未入力項目が表示面距離である場合、ステップＳ３１９〜Ｓ３２３の処理をやり直し、未入力項目が表示機器間距離である場合、ステップＳ３２５〜Ｓ３２９の処理をやり直し、未入力項目が配置形態である場合、ステップＳ３３１〜Ｓ３３５の処理をやり直し、未入力項目が調整値である場合、ステップＳ３３７〜Ｓ３４１の処理をやり直す。
【００７５】
続いて、登録制御部１０７は、配置補助情報に設定されていない未入力項目がない場合（ステップＳ３４３でＮｏ）、配置補助情報を配置補助情報記憶部１０９に登録する登録制御を行う（ステップＳ３５１）。
【００７６】
図２７は、図５のフローチャートのステップＳ１１９の処理の詳細例を示すシーケンス図である。
【００７７】
まず、登録制御部１０７は、配置補助情報記憶部１０９に記憶されている配置補助情報を読み出す（ステップＳ４０１）。
【００７８】
続いて、設定要求部１１１は、登録制御部１０７により読み出された配置補助情報に含まれる機器識別情報に対応付けられた調整値情報を、当該機器識別情報が示す表示機器２０に送信し、調整値設定を要求する（ステップＳ４０３）。なお、表示機器２０のＩＰアドレスは、ユーザが入力してもよいし、配置補助情報に含めておいてもよい。
【００７９】
続いて、各表示機器２０の機器情報制御部２０３は、情報処理装置１０から調整値の設定要求が行われると、受信した調整値情報に基づいて、機器情報記憶部２０１に記憶されている調整値情報を更新することで、調整値を設定し、調整値の設定を行った旨を情報処理装置１０に通知する（ステップＳ４０５）。
【００８０】
マルチプロジェクションを行う場合、各表示機器２０には若干の個体差があるため、均一なコンテンツ投影を行うためには、各表示機器２０の映像調整や表示調整が必要であるが、これにより、各表示機器の調整作業に要する時間や労力を軽減するとともに、各表示機器２０を簡易にかつ正確に調整することができる。
【００８１】
続いて、表示制御部１０１は、配置補助情報に基づいて、図２８に示すような、配置案内画面を表示装置１４に表示させる（ステップＳ４０７）。これにより、ユーザは、配置案内画面を参照しながら、各表示機器２０をマルチプロジェクション用に配置することで、各表示機器２０を簡易にかつ正確に配置することができる。
【００８２】
続いて、受付部１０３は、ユーザによる入力装置１５からの配置完了操作を受け付けると、取得部１０５は、機器検索要求をブロードキャストし（ステップＳ４０９）、配置された表示機器２０（表示機器２０−１及び２０−２）から、ＩＰアドレス及び機器識別情報を取得する（ステップＳ４１１）。
【００８３】
続いて、登録制御部１０７は、取得したＩＰアドレス及び機器識別情報に基づいて、前述の配置情報を生成し、主記憶装置２２上で一時記憶する（ステップＳ４１３）。
【００８４】
以上のように本実施形態によれば、マルチプロジェクションを行う際に、各表示機器２０をどのように配置すればよいかを画面上で確認できるため、各表示機器の配置作業に要する時間や労力を軽減するとともに、各表示機器２０を簡易にかつ正確に配置することができる。
【００８５】
特に本実施形態では、公共スペースでの展示会においてマルチプロジェクションを行う場合など、その都度、各表示機器の配置作業が必要となるようなケースにおいて、各表示機器の配置作業に伴う多大な時間と労力を削減できる。
【００８６】
（プログラム）
上記実施形態の情報処理装置１０で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００８７】
また、上記実施形態の情報処理装置１０で実行されるプログラムを、インターネット等のネットワークに接続されたコンピュータ上に格納し、ネットワーク経由でダウンロードさせることにより提供するようにしてもよい。また、上記実施形態の情報処理装置１０で実行されるプログラムを、インターネット等のネットワーク経由で提供または配布するようにしてもよい。また、上記実施形態の情報処理装置１０で実行されるプログラムを、ＲＯＭ等に予め組み込んで提供するようにしてもよい。
【００８８】
上記実施形態の情報処理装置１０で実行されるプログラムは、上述した各部をコンピュータ上で実現させるためのモジュール構成となっている。実際のハードウェアとしては、例えば、ＣＰＵがＲＯＭからプログラムをＲＡＭ上に読み出して実行することにより、上記各機能部がコンピュータ上で実現されるようになっている。
【００８９】
なお、上記実施形態は、例として提示したものであり、発明の範囲を限定することは意図していない。上記新規な実施の形態は、その他の様々な形態で実施されることが可能であり、発明の要旨を逸脱しない範囲で、種々の省略、置き換え、変更を行うことができる。これらの実施の形態は、発明の範囲や要旨に含まれるとともに、特許請求の範囲に記載された発明とその均等の範囲に含まれる。
【符号の説明】
【００９０】
１  表示システム
２  ネットワーク
１０  情報処理装置
２０−１〜２０−Ｎ（２０）  表示機器
１０１  表示制御部
１０３  受付部
１０５  取得部
１０７  登録制御部
１０９  配置補助情報記憶部
１１１  設定要求部
１１３  撮影部
１１５  投影制御部
２０１  機器情報記憶部
２０３  機器情報制御部
２０５  投影部
【先行技術文献】
【特許文献】
【００９１】
【特許文献１】特開２００６−３０４１００号公報
【図１】
2018004711.tif 000003
【図２】
2018004711.tif 000004
【図３】
2018004711.tif 000005
【図４】
2018004711.tif 000006
【図５】
2018004711.tif 000007
【図６】
2018004711.tif 000008
【図７】
2018004711.tif 000009
【図８】
2018004711.tif 000010
【図９】
2018004711.tif 000011
【図１０】
2018004711.tif 000012
【図１１】
2018004711.tif 000013
【図１２】
2018004711.tif 000014
【図１３−１】
2018004711.tif 000015
【図１３−２】
2018004711.tif 000016
【図１４】
2018004711.tif 000017
【図１５】
2018004711.tif 000018
【図１６】
2018004711.tif 000019
【図１７】
2018004711.tif 000020
【図１８】
2018004711.tif 000021
【図１９】
2018004711.tif 000022
【図２０】
2018004711.tif 000023
【図２１】
2018004711.tif 000024
【図２２】
2018004711.tif 000025
【図２３】
2018004711.tif 000026
【図２４】
2018004711.tif 000027
【図２５】
2018004711.tif 000028
【図２６】
2018004711.tif 000029
【図２７】
2018004711.tif 000030
【図２８】
2018004711.tif 000031